(57)【要約】【課題】この発明は、材料費のコストダウン化を図るとともに高信頼性の電力量計を提供するものである。【解決手段】非結晶性樹脂で形成され、ベース側取付部を有し、電力量を計測して表示する表示部を有する計器を収納する計器ベースと、前記計器ベースを覆うとともに前記計器ベースの前記ベース側取付部に対応した位置にカバー側取付部を有し、ガラス材を配合しない非結晶性樹脂で形成された計器カバーと、前記計器カバーの前記カバー側取付部を前記計器ベースの前記ベース側取付部に取り付ける取付ねじと、前記計器カバーの前記カバー側取付部の前記取付ねじの貫通部に設けられ、前記取付ねじのねじ推力を均一な圧力として分散させる筒状圧力分散体とを備えたものである。【選択図】図１０
2015064264.tif 000002
【特許請求の範囲】
【請求項１】
非結晶性樹脂で形成され、ベース側取付部を有し、電力量を計測して表示する表示部を有する計器を収納する計器ベースと、前記計器ベースを覆うとともに前記計器ベースの前記ベース側取付部に対応した位置にカバー側取付部を有し、ガラス材を配合しない非結晶性樹脂で形成された計器カバーと、前記計器カバーの前記カバー側取付部を前記計器ベースの前記ベース側取付部に取り付ける取付ねじと、前記計器カバーの前記カバー側取付部の前記取付ねじの貫通部に設けられ、前記取付ねじのねじ推力を均一な圧力として分散させる筒状圧力分散体とを備えたことを特徴とする電力量計。
【請求項２】
前記筒状圧力分散体は円筒状に形成されたことを特徴とする請求項１に記載の電力量計。
【請求項３】
前記計器ベースの前記ベース側取付部は前記計器ベースの一方側に設けられ、前記計器カバーの前記カバー側取付部も前記計器カバーの一方側に設けられ、前記計器ベースの他方側にベース側係合体を設け、前記計器カバーの他方側に前記ベース側係合体と係合するカバー側係合体を設けたことを特徴とする請求項１または請求項２に記載の電力量計。
【請求項４】
前記ベース側係合体は四角状開口部を有し、前記カバー側係合体は前記ベース側係合体の前記四角状開口部に係合する形状に形成されたことを特徴とする請求項３に記載の電力量計。
【請求項５】
前記計器ベースの前記ベース側取付部に前記取付ねじが挿通する挿通穴を設け、前記挿通穴と連通するナット挿入部を形成し、前記ナット挿入部にナットを挿入して前記取付ねじを前記ナットに螺着することを特徴とする請求項１乃至請求項４のいずれか１項に記載の電力量計。
【請求項６】
前記計器カバーはガラス材を配合しない非結晶性樹脂であるポリカーボネイトで形成されたことを特徴とする請求項１乃至請求項５のいずれか１項に記載の電力量計。
【請求項７】
前記ポリカーボネイトで形成された前記計器カバーは透明体であることを特徴とする請求項６に記載の電力量計。
【発明の詳細な説明】
【技術分野】
【０００１】
この発明は、例えば、屋外に設置され、電流と電圧を入力し、電力量を計測する電力量計に関するものであり、特に電力量計における計器ベースと計器カバーとの取り付け構造に関するものである。
【背景技術】
【０００２】
従来の電力量計としては、電流と電圧を入力し電力量を計測する計器類を収納する計器ベースとその計器ベースに取り付けられた計器カバーとを備えている。計器ベースの取付部に計器カバーの取付部を取付ねじにより取り付けている。
【０００３】
計器ベースと計器カバーとの取り付け構造の一例としては図１２に示すような構成となっている。計器ベース１はガラス材が配合された非結晶性樹脂、例えばポリカーボネイトで形成され、電力量を計測する計器類を収納する。計器ベース１のベース側取付部１ａには挿通穴１ｂが形成され、その挿通穴１ｂには内周面側に雌ねじが形成された雌ねじ嵌合体２が嵌合されている。
【０００４】
計器カバー３はガラス材が配合された非結晶性樹脂、例えばポリカーボネイトで形成され、計器カバー３のカバー側取付部３ａのカバー側取付面３ｂが計器ベース１のベース側取付部１ａのベース側取付面１ｃと当接して取り付けられる。計器カバー３のカバー側取付部３ａには取付ねじ４を通す貫通孔３ｃが形成されている。
【０００５】
計器ベース１のベース側取付部１ａのベース側取付面１ｃに計器カバー３のカバー側取付部３ａのカバー側取付面３ｂを当接させ、取付ねじ４を計器カバー３のカバー側取付部３ａに形成した貫通孔３ｃに通し、取付ねじ４の雄ねじ部４ａを計器ベース１のベース側取付部１ａに形成した挿通穴１ｂに嵌合した雌ねじ嵌合体２の雌ねじに螺着させることにより、計器カバー３を計器ベース１に取り付けている。
【先行技術文献】
【特許文献】
【０００６】
【特許文献１】特開２００９−１５２４６６号公報
【発明の概要】
【発明が解決しようとする課題】
【０００７】
上述した従来の電力量計は、強度を持たせるためガラス材が配合された非結晶性樹脂であるポリカーボネイトで計器カバー３が形成されており、計器カバー３は有色状態であり、電力量を表示する表示部に対応する部分は超音波などを利用した特殊な溶着により表示カバー体を設けており、多大な労力と手間を要するとともに高コスト化しているという問題点があった。しかも、従来の非結晶性樹脂であるポリカーボネイトはガラス材が配合されているので計器カバー３を透明化することができないとともに、ガラス材の比重が高いため非結晶性樹脂であるポリカーボネイトの単価が高くなり材料費がコストアップしているという問題点があった。
【０００８】
また、従来の電力量計は、図１２に示すように、計器ベース１のベース側取付部１ａのベース側取付面１ｃに計器カバー３のカバー側取付部３ａのカバー側取付面３ｂを当接させているが、ベース側取付面１ｃ、カバー側取付面３ｂのそれぞれの成形品にはソリが発生しそのソリが影響することで、ベース側取付面１ｃとカバー側取付面３ｂとの当接部位において、取付ねじ４のねじ推力を均一な圧力として分散させることが困難であった。このように、圧力が不均一であるため、ある箇所Ｐに大きい圧力が加わり、信頼性評価（耐薬品評価）で割れが発生する問題点があった。
なお、耐薬品評価の一例として、非結晶性樹脂であるポリカーボネイトで形成された計器カバー３は配線ケーブルの被覆に含まれる可塑剤（例えば、フタル酸エステル）など有機溶剤等の雰囲気中に設置され、計器カバー３に引張応力が加えられるとクレ−ジング現象が発生する。クレ−ジング（Ｃｒａｚｉｎｇ）とは、小さい割れが入ることで、計器カバー３が有機溶剤等に接触した状態あるいはガス雰囲気下で引張応力下に置かれると、白化やひび割れを生じる現象である。
【０００９】
この発明は、上記のような課題を解決するためになされたものであり、その目的は、ガラス材を配合しない非結晶性樹脂で計器カバーを形成することにより、材料費のコストダウン化を図るとともに、計器カバーのカバー側取付部に筒状圧力分散体を設けて取付ねじのねじ推力を均一な圧力として分散させることができる電力量計を提供するものである。
【課題を解決するための手段】
【００１０】
この発明に係わる電力量計は、非結晶性樹脂で形成され、ベース側取付部を有し、電力量を計測して表示する表示部を有する計器を収納する計器ベースと、前記計器ベースを覆うとともに前記計器ベースの前記ベース側取付部に対応した位置にカバー側取付部を有し、ガラス材を配合しない非結晶性樹脂で形成された計器カバーと、前記計器カバーの前記カバー側取付部を前記計器ベースの前記ベース側取付部に取り付ける取付ねじと、前記計器カバーの前記カバー側取付部の前記取付ねじの貫通部に設けられ、前記取付ねじのねじ推力を均一な圧力として分散させる筒状圧力分散体とを備えたものである。
【発明の効果】
【００１１】
この発明に係わる電力量計によれば、ガラス材を配合しない非結晶性樹脂で計器カバーを形成することにより、材料費のコストダウン化を図ることができるとともに、計器カバーのカバー側取付部に筒状圧力分散体を設けて取付ねじのねじ推力を均一な圧力として分散させることができる高信頼性の電力量計を得ることができる。
【図面の簡単な説明】
【００１２】
【図１】この発明の実施の形態１に係わる電力量計における計器カバーを計器ベースに設置した状態を示す斜視図である。
【図２】この発明の実施の形態１に係わる電力量計における計器カバーを計器ベースに設置した状態を示す斜視図である。
【図３】この発明の実施の形態１に係わる電力量計における計器カバーを計器ベースからずらせた状態を示す斜視図である。
【図４】この発明の実施の形態1に係わる電力量計における計器カバーを計器ベースからずらせた状態を示す斜視図である。
【図５】この発明の実施の形態1に係わる電力量計における計器カバーを示す斜視図である。
【図６】この発明の実施の形態1に係わる電力量計における計器カバーの要部を示す斜視図である。
【図７】この発明の実施の形態1に係わる電力量計における計器ベースを示す斜視図である。
【図８】この発明の実施の形態1に係わる電力量計における計器ベースを示す斜視図である。
【図９】この発明の実施の形態1に係わる電力量計における計器ベースと計器カバーの取り付け部を示す模式斜視図である。
【図１０】この発明の実施の形態1に係わる電力量計における計器ベースと計器カバーの取り付け状態を示す断面図である。
【図１１】この発明の実施の形態1に係わる電力量計における計器ベースと計器カバーの取り付け状態の要部を示す断面図である。
【図１２】従来の電力量計における計器ベースと計器カバーの取り付け状態を示す断面図である。
【発明を実施するための形態】
【００１３】
実施の形態１．
以下、この発明の実施の形態１を図１乃至図１１に基づいて説明するが、各図において、同一、または相当部材、部位については同一符号を付して説明する。図１はこの発明の実施の形態１に係わる電力量計における計器カバーを計器ベースに設置した状態を示す斜視図である。図２はこの発明の実施の形態１に係わる電力量計における計器カバーを計器ベースに設置した状態を示す斜視図である。図３はこの発明の実施の形態１に係わる電力量計における計器カバーを計器ベースからずらせた状態を示す斜視図である。図４はこの発明の実施の形態1に係わる電力量計における計器カバーを計器ベースからずらせた状態
を示す斜視図である。図５はこの発明の実施の形態1に係わる電力量計における計器カバーを示す斜視図である。図６はこの発明の実施の形態1に係わる電力量計における計器カバーの要部を示す斜視図である。図７はこの発明の実施の形態1に係わる電力量計における計器ベースを示す斜視図である。図８はこの発明の実施の形態1に係わる電力量計における計器ベースを示す斜視図である。図９はこの発明の実施の形態1に係わる電力量計における計器ベースと計器カバーの取り付け部を示す模式斜視図である。図１０はこの発明の実施の形態1に係わる電力量計における計器ベースと計器カバーの取り付け状態を示す断面図である。図１１はこの発明の実施の形態1に係わる電力量計における計器ベースと計器カバーの取り付け状態の要部を示す断面図である。
【００１４】
これら各図において、１００は電力量計であり、次のように構成される。１０１は非結晶性樹脂である例えばポリカーボネイトで形成され、電力量を計測して表示する表示部を有する計器類を収納する計器ベースであり、図７および図８に示すような構成となっている。１０２は計器ベース１０１の裏面部、１０３はベース側取付部、１０４はベース側取付部１０３に設けられ、取付ねじ３０１が挿通する挿通穴、１０５は計器ベース１０１のベース側部であり、後述する計器カバー２０１のカバー側部２０５と相対向する。１０６は計器ベース１０１のベース当接面１０６であり、後述する計器カバー２０１のカバー当接面２０６と当接する。１０７は計器ベース１０１のベース側取付部１０３に挿通穴１０４と連通するように形成され、ナット３０２が挿入されるナット挿入部、１０８は計器ベース１０１のベース側取付部１０３を設けていない他方側のベース側部１０５側に設けられ、例えば四角状開口部を有するベース側係合体である。１０９は計器ベース１０１のベース側取付部１０３の下方側に形成した例えば切り欠きにより形成した排出部であり、計器ベース１０１に後述する計器カバー２０１を取り付けた状態で万が一に雨水が侵入してきた場合にその雨水を排出する。
【００１５】
２０１は計器ベース１０１を覆うガラス材を配合しない非結晶性樹脂である例えばポリカーボネイトで形成された計器カバーであり、この計器カバー２０１はガラス材を配合していないので、例えば透明体として構成され、計器ベース１０１の電力量を表示する表示部が見え電力量を確認することができる構成としている。計器カバー２０１は図５および図６に示すような構成となっている。２０２は計器カバー２０１の正面部、２０３は計器ベース１０１のベース側取付部１０３に対応した位置に設けられたカバー側取付部、２０４は計器カバー２０１のカバー側取付部２０３に形成され取付ねじ３０１が挿通する貫通孔、２０５は計器ベース１０１のベース側部１０５と僅かな間隙を設けて相対向して配置されるカバー側部、２０６は計器ベース１０１のベース当接面１０６と当接するカバー当接面、２０７は計器ベース１０１のベース側係合体１０８の例えば四角状開口部に係合する形状に形成されたカバー側係合体であり、例えば係合片２０７ａが設けられ弾性機能を持たせている。２０８は計器カバー２０１のカバー側取付部２０３に形成した貫通孔２０４部に設けられ、貫通孔２０４と同じ内径寸法の貫通孔２０８ａを有し、取付ねじ３０１のねじ推力を均一な圧力として分散させる例えば円筒状に形成された筒状圧力分散体である。円筒状に形成された筒状圧力分散体２０８の当接面２０８ｂが計器ベース１０１のベース側取付部１０３に当接する。なお、カバー側係合体２０７および筒状圧力分散体２０８は計器カバー２０１と同じ材料、すなわち、ガラス材を配合しない非結晶性樹脂である例えばポリカーボネイトで例えば透明体として計器カバー２０１と一体的に成形されて構成されている。
【００１６】
次に、計器カバー２０１の計器ベース１０１への取り付け方について説明する。まず、計器カバー２０１のカバー当接面２０６を計器ベース１０１のベース当接面１０６に当接させて計器カバー２０１をスライドさせ、図３および図４の状態まで移動させる。この状態からさらに計器カバー２０１をスライドさせて移動させると、図１および図２に示すように、計器カバー２０１のカバー側係合体２０７が計器ベース１０１のベース側係合体１０８の例えば四角状開口部に係合し、計器カバー２０１のカバー側係合体２０７の係合片２０７ａの弾性機能によりその位置が保持される。計器カバー２０１のカバー側係合体２０７が計器ベース１０１のベース側係合体１０８に係合することにより、計器ベース１０１のベース側部１０５と計器カバー２０１のカバー側部２０５との相対向面間は僅かな間隙を設けて配置されるとともに、計器カバー２０１のカバー側取付部２０３に形成した貫通孔２０４の位置と計器ベース１０１のベース側取付部１０３に設けられた挿通穴１０４とが同心状に位置決められる。なお、計器ベース１０１のベース側部１０５と計器カバー２０１のカバー側部２０５との相対向面間に僅かな間隙を設けているのは、計器ベース１０１のベース当接面１０６と計器カバー２０１のカバー当接面２０６との間から例えば毛細管現象により計器ベース１０１内に侵入するのを防止するためである。
【００１７】
計器カバー２０１のカバー側係合体２０７を計器ベース１０１のベース側係合体１０８に係合させた後、図９から図１１に示すように、取付ねじ３０１を計器カバー２０１のカバー側取付部２０３に形成した貫通孔２０４、筒状圧力分散体２０８の貫通孔２０８ａ、計器ベース１０１のベース側取付部１０３に設けられた挿通穴１０４に挿入し、取付ねじ３０１の雄ねじ３０１ａを計器ベース１０１のベース側取付部１０３に挿通穴１０４と連通するように形成されたナット挿入部１０７に挿入されたナット３０２に螺着することにより、計器カバー２０１が計器ベース１０１に取り付けられる。
【００１８】
図１０および図１１に示すように、筒状圧力分散体２０８の当接面２０８ｂは計器ベース１０１のベース側取付部１０３のベース側取付面１０３ａに当接しているので、取付ねじ３０１のねじ推力は矢印で示すように筒状圧力分散体２０８に均一な圧力として分散されており、計器カバー２０１のカバー側取付部２０３にはひび割れを生じる現象が全く無い高信頼性の電力量計を得ることができる。
【００１９】
また、計器カバー２０１は、上述した従来のようなガラス材を配合した非結晶性樹脂である例えばポリカーボネイトのような高い比重の材料ではなく、ガラス材を配合しない非結晶性樹脂である例えばポリカーボネイトで形成されているので、著しく比重の小さな材料とすることができ、材料費のコストダウン化を図ることができる。
【００２０】
また、計器カバー２０１は、ガラス材を配合しない非結晶性樹脂である例えばポリカーボネイトで透明体とすることにより、計器ベース１０１の電力量を表示する表示部が見え電力量を確認することができ、上述した従来の有色状態の計器カバー３のように電力量を表示する表示カバー体を設ける必要が全くないので、多大な労力と手間を要することもなく低コスト化を図ることができる。
【００２１】
また、計器ベース１０１のベース側係合体１０８は四角状開口部を有し、計器カバー２０１のカバー側係合体２０７は計器ベース１０１のベース側係合体１０８の四角状開口部に係合する形状に形成された場合について述べたが、これに限定されるものではなく、計器カバー２０１のカバー側係合体２０７に四角状開口部を有し、計器ベース１０１のベース側係合体１０８は計器カバー２０１のカバー側係合体２０７の四角状開口部に係合する形状に形成されるようにしてもよく、上述した実施の形態と同様の効果を奏する。
【００２２】
また、計器ベース１０１のベース側取付部１０３は計器ベース１０１の一方側に設けられ、計器カバー２０１のカバー側取付部２０３および筒状圧力分散体２０８も計器カバー２０１の一方側に設けられ、計器ベース１０１の他方側にベース側係合体１０８を設け、計器カバー２０１の他方側にベース側係合体１０８と係合するカバー側係合体２０７を設けた場合について述べたが、これに限定されるものではなく、計器ベース１０１の他方側にもベース側取付部１０３を設け、計器カバー２０１の他方側にもカバー側取付部２０３および筒状圧力分散体２０８を設けるようにしてもよく、上述した実施の形態と同様の効果を奏する。
【００２３】
ところで、計器カバー２０１は、ガラス材を配合しない非結晶性樹脂である例えばポリカーボネイトで透明体とした場合についてのべたが、これに限定されるものではなく、計器カバー２０１はガラス材を配合しない非結晶性樹脂である例えばポリカーボネイトであれば必ずしも透明体でなくても同様の効果を奏する。計器カバー２０１はガラス材を配合しない非結晶性樹脂である例えばポリカーボネイトで不透明体とすることもでき、この場合には電力量を表示する表示部に対応する部分は上述したようなガラス材が配合された非結晶性樹脂である強度の高いポリカーボネイトではなく、ガラス材を配合しない非結晶性樹脂であるポリカーボネイトであり、比較的簡単な加工で除去することができるので、材料費のコストダウン化を図ることができる。
【００２４】
なお、この発明は、その発明の範囲内において、各実施の形態を自由に組み合わせたり、各実施の形態を適宜、変形、省略することが可能である。
【産業上の利用可能性】
【００２５】
この発明は、材料費のコストダウン化を図ることができるとともに高信頼性の電力量計の実現に好適である。
【符号の説明】
【００２６】
１００  電力量計、１０１  計器ベース、１０３  ベース側取付部、１０４  挿通穴、１０７  ナット挿入部、１０８  ベース側係合体、２０１  計器カバー、２０３  カバー側取付部、２０４  貫通孔、２０７  カバー側係合体、２０８  筒状圧力分散体、３０１  取付ねじ、３０２  ナット。
【図１】
2015064264.tif 000003
【図２】
2015064264.tif 000004
【図３】
2015064264.tif 000005
【図４】
2015064264.tif 000006
【図５】
2015064264.tif 000007
【図６】
2015064264.tif 000008
【図７】
2015064264.tif 000009
【図８】
2015064264.tif 000010
【図９】
2015064264.tif 000011
【図１０】
2015064264.tif 000012
【図１１】
2015064264.tif 000013
【図１２】
2015064264.tif 000014